(57)【要約】【課題】自力で立ったり歩いたりすることができない要介護者を移動させるときに使用して介護者の負担を軽減する移動補助具を提供する。【解決手段】滑り性の良い表シート２と、両端は滑り性が良く、中央部は滑り性の悪い裏シート３を重ねて一体化し、さらに、両シート間に、要介護者の体重を支え得る強度を持った心板５を複数に分割して横に並べて挿入し、この分割心板間において一体化したシートに移動補助具の折り畳みを可能ならしめるヒンジ部６を形成してそりや滑り台的な使用が可能な移動補助具１を構成した。【選択図】  図１
2004305545.tif 000002
【特許請求の範囲】
【請求項１】
滑り性の良い表シートと、両端の滑り性を良くし、中央の滑り性を悪くした裏シートを重ねて一体化し、さらに、両シート間に、要介護者の体重を支え得る強度を持った心板を複数に分割して横に並べて挿入し、この分割心板間において一体化したシートに移動補助具の折り畳みを可能ならしめるヒンジ部を形成して成る、要介護者を乗せて移動させるための表面が滑り易くて裏面中央部が滑り難い要介護者用移動補助具。
【請求項２】
前記心板と表シートとの間及び心板と裏シートとの間の少なくとも一方にクッション材を入れた請求項１に記載の要介護者用移動補助具。
【発明の詳細な説明】
【０００１】
【発明の属する技術分野】
この発明は、要介護者、例えば、自力で立ったり歩いたりすることができない身体障害者や寝たきり患者などを移動させるときに使用する移動補助具に関する。
【０００２】
【従来の技術】
例えば、寝たきり患者をベッドから他のベッドなどに移動させる際の介護者の疲労・負担を軽減するために、下記特許文献１、２に示されるような介護シートが種々考案されている。
【０００３】
【特許文献１】
特開平９−３８１４０号公報
【特許文献２】
特開２００１−１７４７１号公報
【０００４】
上記特許文献１に開示された介護シートは、帯状シートの表面と裏面の摩擦係数に差をつけ、この帯状シートを長手方向に２つ折りして滑り性の良い表面同士を重ね合わせ、これを例えば患者とベッドの間に挿入して上側に重なったシート部上に患者を乗せ、この状態で上側シート部を下側シート部上で滑らせて、患者をベッド上の目的位置に移動させるようにしている。
【０００５】
また、特許文献２に開示されたシーツは、滑り性の良いフィルムを重ね合わせて構成し、これを例えばベッドとストレッチャー間に渡して敷き、その上に乗せた患者をフイルム表面の滑り性を利用して移動させるようにしている。
【０００６】
【発明が解決しようとする課題】
上記特許文献１、２の介護シートは、要介護者を例えばベッドから車椅子に、或いは車椅子からベッド上に移動させる場合にはあまり用をなさず、抱き上げて移動させた方が手っとり早くて介護者の疲労・負担の軽減に関して十分と言えない面があった。
【０００７】
また、これ等は、柔軟なシートとして構成されているため、要介護者の体の下に挿入するときの差込み性なども決して良いとは言えなかった。
【０００８】
この発明は、ベッドに寝かせた要介護者の体位変更、ベッド間などでの移動は勿論、ベッドから車椅子へ、あるいは車椅子からベッドへ移動させるときにも有効性を発揮する要介護者の移動補助具を提供して介護者の負担軽減を図ることを課題としている。
【０００９】
【課題を解決するための手段】
上記の課題を解決するために、この発明においては、滑り性の良い表シートと、両端の滑り性を良くし、中央の滑り性を悪くした裏面シートを重ねて一体化し、さらに、両シート間に、要介護者の体重を支え得る強度を持った心板を複数に分割して横に並べて挿入し、この分割心板間において一体化したシートに移動補助具の折り畳みを可能ならしめるヒンジ部を形成して成る、要介護者を乗せて移動させるための表面が滑り易くて裏面中央部が滑り難い要介護者用移動補助具を提供する。
【００１０】
この移動補助具は、心板と表シートとの間及び心板と裏シートとの間の少なくとも一方、できれば双方にクッション材を入れたものが好ましい。また、この移動補助具の前後の縁や側縁にベルトで構成される把手を設けるのも好ましい。
【００１１】
【作用】
この発明の移動補助具は、滑り性の良い表シートを上にすると、その上に乗せた要介護者が滑り易くなり、一方、下側は中央部が滑り難くてベッド上などで安定して動き止めされ、要介護者を移動補助具上で楽に滑らせて移動させることができる。
【００１２】
また、滑り性の良い表シートを下にすれば、移動補助具がベッド上などを滑り易くなるので、この補助具を押したり引いたりして滑らせ、その上に乗せた要介護者を移動補助具と共に楽に移動させることができる。
【００１３】
さらに、表シートと裏シート間に要介護者の体重に耐える心板を挿入しているので、表シートを上にした移動補助具を滑り台にして例えばベッド上の要介護者を車椅子等に滑り降ろすことができ、要介護者の下に挿入するときの差込み性も良くなる。
【００１４】
なお、内部にクッション材を入れたものは、要介護者に与える違和感が軽減され、移動補助具が人体に当たるなどしたときの安全性も高まる。
【００１５】
また、把手を備えさせたものは、移動補助具の引き動かしや持ち上げが容易になる。
【００１６】
このほか、心板を複数に分割して隣り合う心板間で移動補助具を折り畳めるようにしているので、その補助具の取り扱い性や要介護者の体の下に入れる際の差込み性なども向上する。
【００１７】
【発明の実施の形態】
以下、この発明の要介護者用移動補助具の実施形態を図１乃至図４に基づいて説明する。
【００１８】
図１乃至図４に示す移動補助具１は、所要サイズの表シート２と裏シート３を重ね、この２枚のシート２、３を、それらのシートの３辺と中央を縫合したり熱融着したりして一体化している。３辺をつなぎ合わせたシートには中央で仕切られた２つの袋部４、４（図４参照）が形成されており、各袋部４、４の内部に２個に分割した心板５を挿入し、各袋部４の入口を適当な方法で閉じて袋部４の内部に心板５を閉じ込めている。なお、心板５、５間に生じた隙間部、即ち、一体化したシートの袋部４、４間の仕切り部は、ヒンジ部６を構成しており、このヒンジ部６の位置で移動補助具を２枚重ねの状態に折り畳むことができる。
【００１９】
袋部４の入口は、表シート２と裏シート３を縫合或いは熱融着して開口不可に閉じてもよく、ファスナー等を用いて開閉可能に閉じても構わない。
【００２０】
表シート２は、滑り性の良い樹脂シートや、フッ素系樹脂フイルム等の樹脂フイルムと織布などの補強材を複合化したシート、表面に滑性向上処理を施した天然皮革や合成皮革などを用いる。
【００２１】
また、裏シート３は、図３に示す両端部３ａ、３ａの滑り性を良くし、中央部３ｂの滑り性を悪くしたシートを用いる。この裏シート３は、滑り性の良いシートの中央部３ｂの表面にゴム系の材料等で滑り性を低下させる処理を施したものや摩擦係数の大きいゴムシートなどの両端部３ａ、３ａの表面に滑り性向上処理を施したものなどでよい。
【００２２】
さらに、心板５は、ＦＲＰ板など強度が高くて折れにくい樹脂板や金属板などを用いる。この心板５はできるだけ軽量なものが好ましく、さらに、２分割に限らず、３乃至４分割して用いてもよい。
【００２３】
また、図５に示すように、心板５と表裏のシート２、３間にクッション材７を挿入すると、要介護者にソフトな感触を与えることができ、取り扱い時に移動補助具が人体に当たるなどしたときの安全性も高まる。
【００２４】
このほか、移動補助具１の前後の縁や側縁に図１、２に示すような把手８を設けると、介護者による移動補助具の支持が安定して行える。
【００２５】
なお、この移動補助具１の全体サイズは、要介護者を安定して受け支えられる大きさ、例えば、幅４０〜１００ｃｍ程度、長さ５０〜１５０ｃｍ程度が適している。
【００２６】
このように構成した移動補助具１は、ベッド上の要介護者を寝かせたまま移動させる場合には、滑り性の良い表シート２を上にしてこの移動補助具１を要介護者の体の下に差込み（このときの差込み性を良くするために裏シート３の両端３ａの滑り性を高めている）、移動補助具１上で要介護者を滑らせる。または、表シート２を下にして移動補助具１を要介護者の体の下に差込み、移動補助具１をそりにしてベッド上で滑らせて要介護者を移動させる。後者の方法は、移動距離が大きいとき、例えばベッドからストレッチャーなどに移すときに有利であり、また、移動補助具１がベッド上で滑り易いため、要介護者を乗せ降ろしするときの抜き差しもし易い。さらに、そりとなす移動補助具１が心板を有するので、ベッドとストレッチャーなどとの間に段差等がある場合にも、要介護者を移動補助具１と一緒に持ち上げたりせずに安全に楽に移すことができる。
【００２７】
また、要介護者をベッドから車椅子に移す場合には、滑り性の良い表シート２を上にして移動補助具１をベッドと車椅子間に掛け渡し、これを滑り台にしてその上に乗せた要介護者を車椅子側に滑り降ろす。逆に車椅子からベッドに移す場合には、滑り台上で滑らせて要介護者を車椅子からベッド上に引き上げる。
【００２８】
このほか、折り畳んだ移動補助具１を乗せ板にしてその乗せ板の両端を２名の介護者が持ち上げ、この上に腰掛けさせた要介護者を介護者の肩につかまらせ、この状態で要介護者を運ぶと言った使用法も可能になる。
【００２９】
このように、この発明の移動補助具は心板を内蔵したことにより、多彩な使用法が可能であり、介護者の負担軽減の効果が大きく発揮される。
【００３０】
【発明の効果】
以上述べたように、この発明の要介護者用移動補助具は、滑り性の良い表シートと中央部の滑り性を悪くした裏シートを一体化して両シート間に心板を内蔵させたので、従来の介護シートではできなかったそりや滑り台としての使用が可能になり、ベッドからストレッチャーや車椅子などに要介護者を移動させるときの抱き上げ動作を減らして介護者の負担を軽減することができる。
【００３１】
また、表シートと裏シート間に心板を挿入しており、さらに、裏シートも両端は滑り性を良くしているので、要介護者の体の下に挿入するときの差込み性等も良くなる。
【００３２】
なお、内部にクッション材を入れたものは、触感がソフトになり、人体に当たるなどしたときの安全性も高まる。
【００３３】
また、把手を備えさせたものは、移動補助具の引き動かしや持ち上げが容易になる。
【００３４】
このほか、心板を複数に分割して隣り合う心板間で移動補助具を折り畳めるようにしているので、その補助具の取り扱い性なども向上する。
【図面の簡単な説明】
【図１】この発明の移動補助具の実施形態を示す斜視図
【図２】図１の移動補助具の平面図
【図３】図１の移動補助具の底面図
【図４】図１の移動補助具の横断断面図
【図５】他の実施形態の断面図
【符号の説明】
１  移動補助具
２  表シート
３  裏シート
３ａ  滑り性の良い両端部
３ｂ  滑り性の悪い中央部
４  袋部
５  心板
６  ヒンジ部
７  クッション材
８  把手
【図１】
2004305545.tif 000003
【図２】
2004305545.tif 000004
【図３】
2004305545.tif 000005
【図４】
2004305545.tif 000006
【図５】
2004305545.tif 000007